Podtech/llm-jp-corpus-v4-ja_patent huggingface dataset:
(57)【要約】 【課題】従前の樹脂製（ポリエチレン製、ポリカーボネート製）のスコップが、耐薬品性の点で問題があったため、牛舎用のスコップとしては金属製掬い部を備えたスコップが使用されていたが、金属製スコップは、軽量化の点と、使用時の騒音の問題がある。そこで牛舎での使用に適するスコップを提供する。【解決手段】矩形皿状の掬い体と、掬い体の基部側中心に連結した長柄体で構成されるスコップにおいて、掬い体をポリプロピレン樹脂（ブロックポリマーのグレード）で形成し、軽量化を実現すると共に、耐衝撃性が高く、耐薬品性に優れており、更に騒音の発生も極力抑えられるので、牛舎における使用に最適なものとした。【選択図】図１
0003132097.tif 000002
【実用新案登録請求の範囲】
【請求項１】
矩形皿状の掬い体と、掬い体の基部側中心に連結した長柄体で構成されるスコップにおいて、掬い体をポリプロピレン樹脂で形成してなることを特徴とする牛舎用スコップ。
【請求項２】
ポリプロピレン樹脂としてブロックポリマーのグレードのものを採用してなる請求項１記載の牛舎用スコップ。
【請求項３】
掬い体の基部辺を下方開口コの字状の折返し構造に形成すると共に、折り返し内方部分の対向面間にリブ板部を設けてなる請求項１又は２記載の牛舎用スコップ。
【請求項４】
リブ板部が、長柄方向と平行な直角板部と、直角板部の端部間に設けた斜面板部で構成してなる請求項３記載の牛舎用スコップ。
【請求項５】
掬い体の基部辺の外周面に、山形のリブ状突起を多数連設してなる請求項３又は４記載の牛舎用スコップ。
【考案の詳細な説明】
【技術分野】
【０００１】
本考案は、特に牛舎で使用することを目的とした牛舎用スコップに関するものである。
【背景技術】
【０００２】
手道具であるスコップは、長柄の先部に適宜な掬い部を設けた周知形状で、除雪作業、土木作業、農作業と幅広く使用されている。
【０００３】
特に掬い部は、剣先型、角型が知られており、その材質としては、金属製や樹脂製であり、金属製の場合には鉄板系（ステンレス板も含む）やアルミ合金が採用されており、樹脂製の場合にはポリエチレン製が安価で一般的であり、またポリカーボネート製（特許文献１）も知られている。また前記の形状及び材質の組み合わせは、その使用目的に対応して種々選択されている。
【０００４】
【特許文献１】特開２００１−７３４００号公報
【考案の開示】
【考案が解決しようとする課題】
【０００５】
ところで畜産業においては、牛舎内の敷き藁の処理に専ら使用するものであるが、ポリエチレン製の掬い部の器具を使用した場合には、強度的に弱く、また屋外使用に伴なう紫外線の影響で、耐久性に欠けるので使用されない。
【０００６】
またポリカーボネート製の器具は、前記のポリエチレン製の器具に比較して充分な強度と一般的な耐久性を備えているが、牛舎内においては、牛糞と藁が混在しており、また牛乳も飛散している状態で、薬剤散布などの消毒作業など行なわれるので、耐薬品性に劣るポリカーボネート製器具は適さない。
【０００７】
そのため現在は、金属製の器具を使用しているのが一般的である。しかし毎日使用される手道具は軽量が望ましいが、金属製のスコップは軽量化に限界がある。しかも前記のポリカーボネート製の場合も同様であるが、使用時の音（コンクリート床と衝突する音、擦れる音）が煩く、牛にストレスを与え、肉質の問題や乳の出具合に問題が生じてしまう。勿論作業者にとっても不快感を与える。
【０００８】
そこで本考案は、牛舎における使用に最適なスコップを提案したものである。
【課題を解決するための手段】
【０００９】
本考案に係る牛舎用スコップは、矩形皿状の掬い体と、掬い体の基部側中心に連結した長柄体で構成されるスコップにおいて、掬い体をポリプロピレン樹脂（ブロックポリマーのグレード）で形成してなることを特徴とするものである。
【００１０】
従って樹脂製であるので軽量化が実現し、且つ耐衝撃性が高く、耐薬品性に優れているので、牛舎における使用に最適となるものである。
【００１１】
また本考案（請求項３，４，５）は、特に掬い体の基部辺を下方開口コの字状の折返し構造に形成すると共に、折り返し内方部分の対向面間にリブ板部を設けてなり、前記リブ板部が、長柄方向と平行な直角板部と、直角板部の端部間に設けた斜面板部で構成され、また前記基部辺の外周面に、山形のリブ状突起を多数連設してなるものである。
【００１２】
而して藁屑や牛糞の掬い取りに際して、基部辺を強く足で蹴っても充分な耐久性を備えることになる。
【考案の効果】
【００１３】
本考案の構成は上記の通りで、器具の軽量化が達成されると共に、耐衝撃性が高く、耐薬品性に優れ、且つ騒音の発生が抑えられるので、牛舎における使用に最適なスコップを提供できたものである。
【考案を実施するための最良の形態】
【００１４】
次に本考案の実施形態について説明する。実施形態に示した牛舎用スコップは、基本多岐には従前のスコップと同様に矩形皿状の掬い体Ａと、掬い体Ａの基部側中心に連結した長柄体Ｂで構成される。
【００１５】
掬い体Ａは、その材質がポリプロピレン樹脂（ブロックポリマーのグレード）で形成され、掬い面部１には補強用突条１１を設けていると共に、中心背面に筒状の柄差込部１２を設けてなる。
【００１６】
また前記掬い面部１の前縁は開口され、両側部辺２及び基部辺３は立ち上げて壁面に形成すると共に、下方開口コの字状の折返し構造に形成する。
【００１７】
更に基部辺３においては、折り返し内方部分の対向面間にリブ板部３１を設けてなるもので、前記のリブ板部３１は、長柄方向と平行な複数の直角板部３２と、隣接する直角板部３２の端部間に設けた斜面板部３３で構成され、また基部辺３の外周面には、山形（富士山型）のリブ状突起３４を多数連設してなるものである。
【００１８】
長柄体Ｂは、木柄でも金属筒柄でも良く、その先端を柄差込部１２に差込み、鋲体４で止着してなり、基端に把手部５を取りつけたものである。勿論把手部５の形状は図示形状に限定されるものではなく、任意の形状・構造のものを採用できるものである。
【００１９】
而して前記スコップは一般のスコップと同様に使用されるもので、特に耐薬品性に優れているので、牛糞や藁による発酵物等が存在していたとしても問題は無く、且つ耐衝撃性にも優れ、しかも従前に使用されていた金属製スコップに比較して著しい軽量化が図られたもので、牛舎の使用に最適なものとなったものである。勿論牛舎以外の畜産業において広く使用できることは当然である。
【図面の簡単な説明】
【００２０】
【図１】本考案の実施形態の全体斜視図。
【図２】同基部辺付近の背面図。
【図３】同基部辺付近背面の断面斜視図。
【符号の説明】
【００２１】
Ａ        掬い体
１        掬い面部
１１      補強用突条
１２      柄差込部
２        両側部辺
３        基部辺
３１      リブ板部
３２      直角板部
３３      斜面板部
３４      リブ状突起
Ｂ        長柄体
４        鋲体
５        把手部
【図１】
0003132097.tif 000003
【図２】
0003132097.tif 000004
【図３】
0003132097.tif 000005
(57)【要約】      （修正有）【課題】クッション性に優れ折れやすい束麺を包装する上で、極めて高い緩衝性能を有する。畝部が途切れることなく、畝部がリブとなって構造的に折れ曲がりにくく、取り扱いが容易となり、機械化する上でも効果的な束麺マットの提供。【解決手段】包装箱の底面に設置するシート状発泡プラスチックの一体成型マットにおいて、束ねた乾麺を複数段に形成した畝部に架け渡して載置する構造であって、畝部を形成する壁面の上部に載置部を複数並列に区画する。【選択図】図１
0003132075.tif 000002
【実用新案登録請求の範囲】
【請求項１】
包装箱の底面に設置するシート状発泡プラスチックの一体成型マットにおいて、束ねた乾麺を複数段に形成した畝部に架け渡して載置する構造であって、該畝部を形成する壁面の上部に載置部を複数並列に区画したことを特徴とする束麺用マット。
【請求項２】
載置部は、湾曲凹部形である請求項１記載の束麺用マット。
【考案の詳細な説明】
【技術分野】
【０００１】
本考案は、そうめん、そば、うどんなど束にした乾麺を包装箱に収納する際に設置するもので、保護及び整列を目的としたマットの改良に関するものである。
【背景技術】
【０００２】
一般に、そうめん、そば、うどんなど束にした乾麺（以下「束麺」という）は、木箱や紙製組立箱などの包装箱に収納して流通・販売されている。束麺は細長く乾燥させたものであることから、折損しやすく商品価値が低下しやすい商品であるため、包装に際して衝撃緩和、移動防止等に留意する必要がある。
【０００３】
従来では、紙や発泡ポリスチレンなどのシートを単に敷いただけであるため、商品保護についてほとんど実質的な対策がとられていないのが実情であった。この点、特許文献１に示す下敷きでは、束麺に対する衝撃緩和及び容器内移動防止が図られている。この下敷きは、一枚シートを凹凸状にプラスチック成形したもので、横溝と縦溝によって区画された棚部に複数の係止突起を突出させた構造である。この係止突起を束麺に食い込ませることで移動防止を行っている。
【特許文献１】実開平７−４０５６６号公報
【考案の開示】
【考案が解決しようとする課題】
【０００４】
特許文献１に示す下敷きは、係止突起を設けたことにより束麺の移動防止については確実に達成できるものの、逆に係止突起の存在により水平方向の衝撃に対してはほとんど効果がないのが実情であった。特に、係止突起を束麺に食い込ませているので、束麺自体に無用な力が常時作用し、少しの衝撃でも折れやすくなる状態にある。
【０００５】
また、係止突起は、包装時に束麺を食い込ませる際や使用時に束麺を取り出す際にも、折ってしまいやすくなる存在であり、鋭利な形状であることから取り扱いにくく使用後の処理もしにくくなるなどの問題があった。
【課題を解決するための手段】
【０００６】
以上のような状況に鑑み、本考案者は鋭意研究の結果本考案を完成したものであり、その特徴とするところは、包装箱の底面に設置するシート状発泡プラスチックの一体成型マットにおいて、束ねた乾麺を複数段に形成した畝部に架け渡して載置する構造であって、該畝部を形成する壁面の上部に載置部を複数並列に区画したことにある。
【０００７】
ここで本明細書中でいう畝部とは、シート状発泡プラスチックを横断面凹凸状に一体成型した形状において、底部から上方に突出した部分をいう。本考案においては、畝部を複数段に設けることにより、帯で束ねた束麺を各畝部に架け渡して載置する。このため、各畝部には複数並列に区画した束麺の載置部を形成する。載置部は畝部を形成する壁面の上部に設けたことにより、幅方向全域に渡って連続した畝部を形成した構造となる。
【０００８】
載置部は、載置した束麺が包装箱内で移動しにくくすることと、等間隔に整列させることを目的とするもので、形状や構造は特に限定するものではない。通常、円弧状に湾曲した凹部に形成する。
【０００９】
シート状発泡プラスチックとしては、食品トレーやカップ麺の容器などに広く利用されているＰＳＰ（ポリスチレンペーパー）が一般的であり、これを加熱しながら金型でプレス成型する。材質としては、ポリスチレンの他、ポリプロピレンやポリ塩化ビニルなどでもよい。
【考案の効果】
【００１０】
本考案に係る束麺用マットは、ＰＳＰ等のシート状発泡プラスチックを横断面凹凸状に成型し、複数段の畝部の頂部に架け渡して束麺を載置させる構造であるため、クッション性に優れ折れやすい束麺を包装する上で、極めて高い緩衝性能を有する。また、畝部を形成する壁面の上部に束麺の載置部を設けていることから、畝部が途切れることなく幅方向全域に渡って連続するため、畝部がリブとなって構造的に折れ曲がりにくく、取り扱いが容易となり、機械化する上でも効果的となる。
【００１１】
さらに、シート状であるため極めて軽いことや、無用な突起などが存在しない構造であるためコンパクトに積み重ねることができるなど実用上極めて有益な効果を有するものである。
【考案を実施するための最良の形態】
【００１２】
本考案は、畝部を形成する壁面上部に形成した載置部に、束麺を架け渡して載置する構造としたことにより、上記課題を解決した。
【実施例１】
【００１３】
図１は、本考案に係る束麺用マット１の一実施例を示すもので、ＰＳＰを加熱しながら金型成型したものであって、畝部２を５段の形成し畝部２間を深い溝状に形成している。畝部２は幅方向に連続しており、その上部に素麺Ｎを載置する載置部３を複数並設している。本例の載置部３は円弧状凹部に形成しており、２１束の素麺Ｎを包装する際のマットとして包装箱の底面に設置する。
【００１４】
本考案に係る束麺用マット１は、例えば図２に示すように包装箱としての木箱４の底面に設置し、畝部２上面に設けた載置部３に素麺Ｎを載せて箱詰めする。載置部３は図３のように畝部２を形成する壁面２１の上部に設けていることから、該壁面２１が幅方向に連続し、ほぼ図１の状態に保形することができる。このため、木箱４への装着もこの状態のまま置くだけでよく、その作業も容易となる。畝部２の高さは、包装箱の大きさや積み重ねる素麺Ｎの数に応じて任意にしてもよい。紙箱に包装する場合などでは、図４のように畝部２を低くしてもほぼ同等に使用することができる。
【図面の簡単な説明】
【００１５】
【図１】本考案に係る束麺用マットの一実施例を示す斜視図である。（実施例１）
【図２】図１に示した束麺用マットの使用状態を示す斜視図である。
【図３】図１に示した束麺用マットの横断面図である。
【図４】本考案に係る束麺用マットの他の例を示す横断面図である。
【符号の説明】
【００１６】
１  束麺用マット
２  畝部
２１  壁面
３  載置部
４  木箱
【図１】
0003132075.tif 000003
【図２】
0003132075.tif 000004
【図３】
0003132075.tif 000005
【図４】
0003132075.tif 000006
(57)【要約】【課題】  本考案は夜間ペットの散歩中、安全性、利便性、快適性、を考慮したC型ブレスレット式ライトを提供する。【解決手段】  本考案は離脱着簡単なC型ブレスレットにライトをつけたもので、手首に装着した状態でライトの方向を自由自在に変えて固定でき、ポイントを照らしながらペットの糞回収に役立つ等、利便性、安全性を考慮したものである。尚、災害等の緊急事態でも身体に一体化した事で両手が自由に使える事の利便性と安全を確保でき迅速に行動できるものである。【選択図】  図１
0003132071.tif 000002
【実用新案登録請求の範囲】
【請求項１】
Ｃ型ブレスレットに首が自由自在に移動して固定できるライトを取り付けたことを特徴とするＣ型ブレスレット式ライト
【考案の詳細な説明】
【技術分野】
【０００１】
本考案は、C型ブレスレットに首付ライトを取り付けたものである。
【背景技術】
【０００２】
従来の懐中電灯は手に持つものか、トンネル工事の人達が利用しているような頭に装着するものに限られていた。
【考案の開示】
【考案が解決しようとする課題】
【０００３】
散歩時、手荷物が多い煩わしさと、また両手が塞がる不便さもあり危険が伴う為、安全性を考慮し手首に装着する事で問題を解決しようとするものである。
【課題を解決するための手段】
【０００４】
本考案は、C型ブレスレットに首付ライトの方向が自由自在に移動固定できるように首の部分は、蛇線のように自在に屈折できる素材、電池はボタン電池、電球は高輝光のLED球あるいはハロゲン球を利用したもので、スイッチはブレスレットの表面に取り付けたもので利便性を考慮したものである。
【考案の効果】
【０００５】
本考案は離脱着簡単なC型ブレスレットに首付ライトを着けたことにより手荷物がなく両手が塞がることもなく安心してポイントを照らしながらペットの糞を回収する事に役立つものである。尚、災害などの緊急事態においても身体に一体化される事で両手が自由に使える事の利便性はもとより安全を確保できるもある。
【考案を実施するための最良の形態】
【０００６】
Ｃ型バネ付きブレスレットに首付ライトを取り付けたものでライトの方向が自由に向き固定できるよう首の部分には蛇線素材を使用し、ブレスレットの表面にスイッチ、内側にボタン電池収納設置スペースを考慮し、照明球は高輝光のLED球あるいはハロゲン球を利用したもので、C型ブレスレットはファッション性のある装飾素材を使用したものである。
【実施例】
【０００７】
添付図面に従って説明する。図１は、Ｃ型ブレスレット本体に首付ライトを一体化したものを装着した様子である。図２は、首付ライトの首の部分が自由自在に動くよう設計したものである。図３は、手首の太い細いに関わらない誰でも装着することが可能であるC型ブレスレットである。
【図面の簡単な説明】
【０００８】
【図１】Ｃ型ブレスレット式首付ライトを腕に装着した実施図
【図２】首付きライトの方向が自由に転換できる実施図
【図３】Ｃ型ブレスレットの実施図
【符号の説明】
【０００９】
１      装飾性Ｃ型ブレスレット
２      屈折自在な蛇線
３      LED球あるいはハロゲン球使用のライト
４      ボタン電池収納設置部分
５      電源  入/切
６      C型ブレスレット開閉軸バネ素材
【図１】
0003132071.tif 000003
【図２】
0003132071.tif 000004
【図３】
0003132071.tif 000005
(57)【要約】【課題】 温度分布を均一化できるようにした板式熱交換器における分布器を提供する。【解決手段】  分布器は数個の貫通孔を有し、該分布器の一端は開放状を呈し、反対端は封鎖状を呈する。これにより分布器の数個の貫通孔と板式熱交換器の流道とを相互に対応させることにより、流体が均一に流道に分布し、温度分布を均一にする。【選択図】  図４
0003132072.tif 000002
【実用新案登録請求の範囲】
【請求項１】
一端を封鎖状に、反対端を開放状に形成して、板式熱交換器の流道に対応する貫通孔を複数設けるとともに、片側にフィードバック管を設置して板式熱交換器の入口内に配置することを特徴とする板式熱交換器における分布器。
【請求項２】
前記フィードバック管の両端は、分布器と相互に貫通することを特徴とする請求項１記載の板式熱交換器における分布器。
【請求項３】
前記フィードバック管の一端は、分布器末端と相互に貫通し、反対端入口と分布器の一端入口が同方向であることを特徴とする請求項１記載の板式熱交換器における分布器。
【考案の詳細な説明】
【技術分野】
【０００１】
本考案は、板式熱交換器における分布器に係り、特に数個の貫通孔と流道とを相互に対応させて流体が均一に前記流道に分布するようにした板式熱交換器における分布器に関する。
【背景技術】
【０００２】
一般の板式熱交換器は図１に示すように、板式熱交換器1は入口11及び出口12を設け、該板式熱交換器1内には多層隔絶板13を設置し、２枚の隔絶板13間に流道14を形成し、流体（冷煤、水、空気等）が前記入口11より進入し、該流道14を経由して該流体が板式熱交換器1内に分布して温度分布の機能と効果を達成するようになっている。
【０００３】
しかしながら、一般の板式熱交換器1は、流体を板式熱交換器1内に拡散させることはできるが、流体の拡散分布時に、しばしば流道14の分散圧力により流体分布の不均一化を招き温度分布の不均一を引き起こしてしまい、図２に示すように、効率が良くない。
【考案の開示】
【考案が解決しようとする課題】
【０００４】
本考案は、上記従来構造の問題点に着目してなされたもので、流体を均一に流道に分布させ、温度分布の均一化を図った板式熱交換器における分布器を提供することを目的としている。
【課題を解決するための手段】
【０００５】
上記課題を解決するため、本考案による板式熱交換器における分布器は、板式熱交換器の入口に設置され、該分布器は数個の貫通孔を有し、該分布器の一端は開放状を呈し、反対端は封鎖状を呈して、前記数個の貫通孔と板式熱交換器の流道とが相互に対応し、これにより流体が均一に前記流道に分布して、温度分布を均一にする。
【考案の効果】
【０００６】
本考案の板式熱交換器における分布器は、公知技術では流体分布が不均一で、温度分布差が大きいという欠点があったが、流体分布を均一にして温度分布も均一にして、しかも熱交換効率を向上させることができる。
【考案を実施するための最良の形態】
【０００７】
以下、図面を参照して本考案の実施例を説明する。
【０００８】
図３に示すように、本考案の実施例が提供する板式熱交換器における分布器25は、数個の貫通孔251を設置している。この分布器25の一端252は開放状を呈し、反対端253は封鎖状を呈し、該分布器25の外径は板式熱交換器2の入口21口径よりやや小さいなっている。
【０００９】
図４に示すように、該分布器25は板式熱交換器2の入口21内に設置される。この分布器25の数個の貫通孔251と板式熱交換器2の流道24とは相互に対応し、これにより流体は分布器25を通り、該分布器25の数個の貫通孔251を通して個別に流出し、対応する流道24に流入するようになっている。こうして流体温度は板式熱交換器2内に均一に分布し、温度分布の均一化を達成する。温度分布の状況は図５に示す。
【００１０】
図６に示すように、本実施例の分布器25はさらに片側にフィードバック管26を設置している。該フィードバック管26は、分布器25と相互に貫通し、これにより流体が該分布器25に流入すると、同時に一部の流体は前記フィードバック管26を経由して分布器25の末端に送られる。続いて、前記分布器25の数個の貫通孔251を通して個別に流出し、対応する板式熱交換器２の流道24に流入する。しかも、前記フィードバック管26により分布器25末端の圧力を高めることで、流体の温度は板式熱交換器2内に均一に分布することになり、これにより温度分布の均一化効果を達成する。その温度分布の状況は図７に示す。
【００１１】
図８に示すように、本実施例の分布器25はさらに前記フィードバック管2の6一端261と分布器25末端とを相互に貫通させ、反対端262の入口263と分布器25の一端252入口を同方向とすることができる。こうして温度分布の均一化効果を達成し、その温度分布の状況は同じく図７に示す。
【００１２】
さらに、本考実施例の分布器25の貫通孔251は、少なくとも１本以上の裂口254を有し、図９に示すように、流体温度が板式熱交換器2内に均一に分布し、これにより温度均一分布の効果を達成する。その温度分布の状況は同じく図７に示す。
【図面の簡単な説明】
【００１３】
【図１】従来の分布器未設置の板式熱交換器を示す説明図である。
【図２】第１図に示す板式熱交換器の温度分布状況を示す説明図である。
【図３】本考案の実施例を示す分解図である。
【図４】本考案実施例の組合せ後の説明図である。
【図５】図４に示す分布器を備えた板式熱交換器の温度分布状況を示す説明図である。
【図６】本考案フィードバック管を備えた分布器の別種の実施例の説明図である。
【図７】フィードバック管を備えた分布器を用いた板式熱交換器の温度分布状況を示す説明図である。
【図８】フィードバック管を備えた分布器のさらに別の実施例を示す説明図である。
【図９】裂口を備えた分布管を示す説明図である。
【符号の説明】
【００１４】
1  板式熱交換器
11  入口
12  出口
13  隔絶板
14  流道
2  板式熱交換器
21  入口
22  出口
23  隔絶板
24  流道
25  分布器
251  貫通孔
252  一端
253  一端
254  裂口
26  フィードバック管
261  一端
262  一端
263  入口
【図１】
0003132072.tif 000003
【図２】
0003132072.tif 000004
【図３】
0003132072.tif 000005
【図４】
0003132072.tif 000006
【図５】
0003132072.tif 000007
【図６】
0003132072.tif 000008
【図７】
0003132072.tif 000009
【図８】
0003132072.tif 000010
【図９】
0003132072.tif 000011
(57)【要約】【課題】マンホール蓋受枠口縁部のアスファルト舗装が綺麗に仕上り、しかもその口縁部のアスファルト舗装の剥離が少なく、また１次展圧舗装をする場合の上面位置の目印にもなるマンホール蓋受枠を提供する。【解決手段】ベース部２の外周部に、上縁がアスファルト展圧舗装層８の下面に達する高さの立上り縁９を設け、１次展圧舗装層用の砂、砂利等を立上り縁９の上縁まで敷設した後、ランマーで展圧して仕上げ、次いで、アスファルト展圧舗装層８の施工を行う。【選択図】図２
0003132064.tif 000002
【実用新案登録請求の範囲】
【請求項１】
ベース部の外周部に上縁がアスファルト舗装層の下面に達する高さの立上り縁を設けたことを特徴とするマンホール蓋受枠。
【請求項２】
前記立上り縁の内側に設けられた固定用アンカーボルト孔部分のベース部を上方に突出させたことを特徴とする請求項１記載のマンホール蓋受枠。
【考案の詳細な説明】
【技術分野】
【０００１】
本考案は、マンホール蓋受枠口縁部のアスファルト舗装が綺麗に仕上り、しかもその口縁部のアスファルト舗装の剥離が少ないマンホール蓋受枠に関するものである。
【背景技術】
【０００２】
図１は、現在一般に用いられているマンホール蓋受枠と、その舗装の状況を示す縦断面図で、１はマンホール蓋受枠、２は斜壁３に植設したアンカーボルト４の挿入孔５を設けた鍔状のベース部、６は斜壁３の上面に設けたモルタル、７は砂、砂利などを用いた１次展圧舗装層、８は１次展圧舗装層７の上に展圧舗装したアスファルト舗装層である。
【０００３】
マンホール蓋受枠１の設置及び周辺部の舗装は、マンホール斜壁３（直壁の場合もある）に図示のように固定した後、１次展圧舗装層７を施工する。この場合、上面をランマーを用いて展圧して平坦にするが、ランマーの上下動する弾圧部は、外縁部が上方に湾曲しているので、マンホール蓋受枠１の口縁部の１次展圧舗装層７ａは、図示のように他の舗装面のように平坦にはならず押し上げられた状態となる。
【０００４】
そのため、次にアスファルトを敷設した後、ランマーで展圧すると、マンホール蓋受枠１の口縁部外周に舗装された１次展圧舗装層７ａを抑止するためのアスファルト舗装層８ａが薄くなるため、図示のようにマンホール蓋受枠１の口縁の外周にアスファルト舗装層８ａが密接せずに１次展圧舗装層７ａが露出して見苦しい仕上がりになったり,また１次展圧舗装層７ａをアスファルト舗装層８ａがカバーしたとしても、１次展圧舗装層７ａの抑止力が小さいため、口縁部の舗装が剥離し易いという問題があった。
【特許文献１】実開昭５０−１３３７６５号公報
【考案の開示】
【考案が解決しようとする課題】
【０００５】
そこで、本考案は、マンホール蓋受枠口縁部のアスファルト舗装が綺麗に仕上がり、しかもその口縁部のアスファルト舗装が剥離し難くなり、また１次展圧舗装をする場合の上面位置の目印にもなるマンホール蓋受枠を提供することを課題とするものである。
【課題を解決するための手段】
【０００６】
本考案は、上記の課題を解決するためになされたもので、第１の考案は、ベース部の外周部に上縁がアスファルト舗装層の下面に達する高さの立上り縁を設けたことを特徴とするマンホール蓋受枠である。
【０００７】
第２の考案は、第１の考案において、前記立上り縁の内側に設けられた固定用アンカーボルト孔部分のベース部を上方に突出させたことを特徴とするマンホール蓋受枠である。
【考案の効果】
【０００８】
第１の考案によると、１次展圧舗装層がマンホール蓋受枠口縁の外周に押し上げられない１次展圧舗装を行うことが出来るため、アスファルト展圧舗装層を綺麗に仕上げることが出来、しかもマンホール蓋受枠口縁外周のアスファルト展圧舗装層が他の部分と同じ厚さに仕上るため、従来問題となっていた口縁外周のアスファルト舗装層の剥離し易さが改善される。更に、立上り縁の上縁が１次展圧舗装をする場合の上面位置の目印にもなるため、１次展圧舗装材の敷設作業の利便性を高める効果がある。
【０００９】
第２の考案によると、第１の考案によるマンホール蓋受枠を固定する際のアンカーボルトのナット止め作業を楽にする効果がある。
【実施例１】
【００１０】
図２は本考案の実施例１の縦断面図を示し、ベース部２の外周部に、上縁がアスファルト展圧舗装層８の下面に達する高さの立上り縁９を設けたものである。
【００１１】
この場合の舗装は、先ず、１次展圧舗装層用の砂、砂利等を立上り縁９の上縁まで敷設した後、ランマーで展圧して仕上げ、次いで、アスファルト展圧舗装層８の施工を行う。
【００１２】
このような舗装を行うことにより、アスファルト舗装層８は、図示のように全体が一様の厚さに仕上がるので、舗装が綺麗に仕上がると共に、マンホール蓋受枠１の口縁部の外側の剥離し易さが改善される。
【実施例２】
【００１３】
図３は本考案の実施例２の縦断面図で、立上り縁９を設けると共に、ベース部２に設けるアンカーボルト４の挿入孔５を設ける部分２ａを上方に突出させたものである。
【００１４】
このように構成すると、実施例１と同様の効果があると共に、立上り縁９があってもアンカーボルト４にナット１０を螺合する作業が容易になる効果がある。
【図面の簡単な説明】
【００１５】
【図１】現行マンホール蓋受枠とその舗装構造を示す縦断面図。
【図２】実施例１の縦断面図。
【図３】実施例２の縦断面図。
【符号の説明】
【００１６】
１   マンホール蓋受枠
２   ベース部
３   斜壁
４   アンカーボルト
５   挿入孔
６   モルタル
７   １次展圧舗装層
８   アスファルト舗装層
９   立上り縁
１０ ナット
【図１】
0003132064.tif 000003
【図２】
0003132064.tif 000004
【図３】
0003132064.tif 000005
(57)【要約】【課題】  散歩中の安全性、利便性、快適性、環境問題に考慮したペットの糞回収を提供する。【解決手段】  ウエストベルト付き蓋付回収容器本体に、出し入れ簡単な蓋付中容器と本体の下にペーパーホルダーを取り付け、両側面の片側にペットボトルを収納する伸縮性ゴムネットと、もう片側に水飲み容器取り付けフックを取り付けたものである。又身体に接する内側の面にクッション素材を施し安全性を考慮したものである。この糞回収容器付ウエストベルトを装着する事により、トイレットペーパーで糞を回収して持ち帰りトイレで処理する事が可能となり又、散歩中いつでもペットに水を補給する事もできる。一体化した事により安全性、利便性、快適性、環境問題にも考慮した事を特徴とするペットの糞回収容器である。  【選択図】  図１
0003132070.tif 000002
【実用新案登録請求の範囲】
【請求項１】
離脱着簡単なウエストベルトに蓋付き糞回収容器とトイレットペーパーホルダーを一体化したものを取り付けたもので、中に出し入れ簡単な蓋付き中容器を入れ中蓋と外蓋との間に手袋が収納できるスペースを配慮し、側面にはペットボトルが収納できるゴムネットを施し、反対側には折りたたみ式ビニール製水飲み容器がかけられるフックをつけ又、身体に接する内側の面はクッション素材を施したことを特徴とするペットの散歩用トイレットペーパー付き糞回収容器。
【考案の詳細な説明】
【技術分野】
【０００１】
本考案は、ペット散歩中の安全性、利便性、快適性、環境問題にも考慮したペット用の糞回収容器である。
【背景技術】
【０００２】
犬の散歩時には、シャベル、新聞紙、ティシュペーパー等紙類及びビニール袋を持参して両手が塞がる状態で回収していた。シャベルでは舗装されたところではきれいに処理できない事、また土の処では土まですくってしまい新聞紙、ティシュペーパーで処理して持ち帰ってもトイレでは処理する事ができない。
【考案の開示】
【考案が解決しようとする課題】
【０００３】
本考案は、ウエストベルトにトイレットペーパーホルダー付糞回収容器を取り付けた事により舗装された処でも簡単に拭き取ることができ持ち帰ってトイレで処理する事が可能となる。又、ペットボトルとビニール製の折りたたみ式容器をも収納できるなど一体化する事により両手が塞がらず、安全であると同時に利便性、機能性をも考慮したものである。
【課題を解決するための手段】
【０００４】
ウエストベルトに蓋付き回収容器本体をとりつけ、さらに中に出し入れ簡単な蓋付容器を収納したもので、本体の外蓋はふくらみをもたせ、外蓋と内蓋の間に薄手の手袋が収納できるスペースを考慮し、本体の下にペーパーホルダーを、側面にはペットボトルが収納できるための伸縮性のあるゴムネットを施し、もう片側には水飲み容器等をかけるフックをつけ、又、身体に接する内側の面にはクッション製のある素材を施し安全性を考慮したものである。
【考案の効果】
【０００５】
トイレットペーパーを回収容器に一体化した事により、どの様な所でも糞をきれいに回収することが可能であり、又、持ち帰りトイレで中容器を取り出して処理することができる事と、散歩中ペットに水を安心して補給することもできる。蓋付容器なので臭いを気にする事もなく、又両手も塞がる事もないので安全であり且つ機能的である。手に持つ煩わしさもないので見た目にもファッション性もあり回収するのに期待がもてるものと思われる。尚、トイレットペーパーを利用することでゴミの減量化に期待感がもて、モラルも向上して環境問題にも大きく貢献できるものである。
【考案を実施するための最良の形態】
【０００６】
離着脱簡単なウエストベルトにプラスチック製の蓋付容器、中にもうひとつ出し入れ簡単な取手つき蓋付容器、いずれも蓋の開閉は、マグネットを使用したもの。外蓋は、膨らみをもたせ内蓋との間にゴム手袋が収納できるように配慮した。ペットボトルを収納する側面は、ペットボトルが収まるように若干凹面に容器加工をして太めのゴムネットを施工もう片側の側面には折りたたみ式ビニール製の水飲用容器を掛けるフックを考慮し、また本体の下にペーパーホルダーをつけ一体化させたものである。尚、身体に接する内側の面にクッション製の素材を施し安全性を考慮したものである。
【実施例】
【０００７】
図１は、本考案のベルト付糞回収容器本体で、外蓋を開け中容器の中に糞を回収した様子である。
図２は、本考案の取手付蓋付中容器で、回収した糞は中容器を取り出して直接トイレで処理ができて、きれいに洗う事ができる。
図３は、本考案の糞回収容器本体の下に取り付けたペーパーホルダーでトイレットペーパーをセットするところである。
図４は、本考案の糞回収容器本体の片側側面から見た水飲み容器をかけるフックであり、折りたたみ水飲み容器をセットしたところの側面図である。
図５は、本考案の糞回収容器本体の正面から見た側面のペットボトル収納の為のゴムネットである。
図６は、本考案の糞回収容器本体の側面を正面から見たペットボトルを収納する為のゴムネットである。
【図面の簡単な説明】
【０００８】
【図１】ベルト付き蓋付糞回収容器の実施図
【図２】取手付き蓋付中容器
【図３】ペーパーホルダーの実施図、
【図４】水飲み容器をかけるフック側面図
【図５】ペットボトルを収納するゴムネット仕様の正面図
【図６】ペットボトルを収納するゴムネット仕様の側面を正面から見たものと身体に触れる面にクッション素材を施したもの
【符号の説明】
【０００９】
１    蓋付糞回収容器本体の外蓋
２    蓋付中容器
３    中容器の蓋
４    中容器の取手
５    ペーパーホルダー
６    フック
７    マグネット
８    ペットボトル収納ゴムネット
９    ワンタッチベルト
10    クッション素材
11    手袋収納場所
【図１】
0003132070.tif 000003
【図２】
0003132070.tif 000004
【図３】
0003132070.tif 000005
【図４】
0003132070.tif 000006
【図５】
0003132070.tif 000007
【図６】
0003132070.tif 000008
(57)【要約】      （修正有） 【課題】人間の穏やかな時の１日の呼吸回数は１３，６８０回とされ約６．３秒に１呼吸が理想と言われ、それは海の波の寄せて帰す回数と同じです。現代人は、４〜５秒に１呼吸と早く、その分ストレスを毎日溜めている事になります。この装置は、６．３秒に１呼吸の人間本来の呼吸リズムを取り戻す為の方法を提供する。【解決手段】カード挿入口よりカードを挿入し、カード表面のマイクロカプセル化した香りの微粒子を、ブラシで破壊し香りを発生させ、まず香りで心身をリラックスさせ、次に装置の前面に内蔵した音響装置より、アルファー波を誘発する、穏やかな音楽を流し（日本音楽著作権協会の許諾曲のみ収録）心身を、より良い状況にし、装置内上面より間接照明が１回点滅させて、点滅に合わせて呼吸を整える事により、人間本来の生体リズムを取り戻せる手軽に音楽を聴きながら、アロマテラピー効果とミュージックセラピー効果を得ながら、人間本来の呼吸リズムを取り戻すことが可能な香料拡散装置。【選択図】図１
0003132322.tif 000002
【実用新案登録請求の範囲】
【請求項１】
マイクロカプセルに充填した香料微粒子を付着させたカードと、同カードに付着させた上記マイクロカプセルを破壊して、該マイクロカプセルに充填した香料微粒子を拡散する機構を具備したことを特徴とする香料拡散装置。
【請求項２】
予め収録されたアルファー波発生を促す音響装置を具備してなることを特徴とする請求項１に記載の香料拡散装置。
【請求項３】
少なくとも４秒ないし８秒、好ましくは、５秒ないし７秒、最も好ましくは６．３秒に１点滅を繰り返す間接照明装置を具備してなることを特徴とする請求項１から請求項２に記載の香料拡散装置。
【考案の詳細な説明】
【技術分野】
【０００１】
本考案は１点滅の間接照明を取付けた香料拡散装置に、被験者がアロマカードを挿入して、香りを発生させると共に、アルファー波発生を促す音楽を聴きながらアロマテラピー効果、ミュージックセラピー効果を、得ながら呼吸リズムの習得が出来る装置に関する。
【背景技術】
【０００２】
従来の香気装置はアロマオイルを調合する手間を要し、アロマオイル調合もオイルの量や、方法も、非常に難しく、なかなか普及しづらい面があった。
【考案の開示】
【考案が解決しようとする課題】
【０００３】
従来の香気装置は、アロマオイルを調合する必要があり、音楽を聴く機能があっても音源が別に必要である為に、利便性に欠け音源と香気装置が一体になった物は他に見当たらない。
【０００４】
従来の香気装置は照明装置を具備するものの、呼吸リズムを調整するのもは他に見当たらない。
【課題を解決するための手段】
【０００５】
本考案は、マイクロカプセルに充填した香料微粒子を付着させたカードと、同カードに付着させた上記マイクロカプセルを破壊して、該マイクロカプセルに充填した香料微粒子を拡散する機構を具備すると共に、予め収録されたアルファー波発生を促す音響装置と、少なくとも４秒ないし８秒、好ましくは、５秒ないし７秒、最も好ましくは６．３秒に１点滅を繰り返す間接照明装置を取付けたことを特徴とする香料拡散装置で被験者はアロマセラピィー効果で、心身ともリラックス状態を味あうことができる。香料は一定時間（６〜８時間）滞留し、自然消滅するのが特長である。
【考案の効果】
【０００６】
本考案に係る香料拡散装置は、以上のように構成する事により、手軽に音楽を聴きながら、アロマテラピー効果とミュージックセラピー効果を得ながら、人間本来の呼吸リズムを取り戻すことが可能な香料拡散装置を提供できた。
【考案を実施するための最良の形態】
【０００７】
本考案は、手軽に音楽を聴きながら、アロマテラピー効果とミュージックセラピー効果を得ながら、かつ、人間本来の呼吸リズムを取り戻すため、人間の呼吸リズムを修正する為に開発したものである。本来人間の穏やかな時の１日の呼吸回数は、１３,６８０回といわれている。そこで、本考案者は、図４に図示するように、本来人間の穏やかな時の呼吸は６．３秒（±０．５秒）であることに注目して、本考案に係る香料拡散装置に少なくとも４秒ないし８秒、好ましくは、５秒ないし７秒、最も好ましくは６．３秒に１点滅を繰り返す間接照明装置を取付けた。以下に限定理由を記載説明する。１点滅を繰り返す間接照明時間が、４秒ないし８秒の範囲以外では、ストレスが溜まり易い不具合がある。人間の呼吸サイクル６．３秒に１回の、最良状態にする為に、この装置では被験者を香りと音楽で、リラックス状態に誘導し、間接照明の６．３秒に１回の点滅で最も良い状態に導く香料拡散装置である。
【実施例】
【０００８】
本考案に係る香料拡散装置Ｂを図１と図２を参照して以下説明する。図３に図示す
る香料拡散装置Ｂのカード挿入口４にアロマカードＡを挿入すると，ブラシ１１が、
マイクロカプセル化香料微粒子Ｃを付着したアロマカードＡのマイクロカプセルを
破壊し、香料拡散装置Ｂの奥に取付けたリミットスイッチ１０が入り、ＬＥＤ７が
６．３秒の点滅を開始すると共に、ファン６は香料拡散装置Ｂの香気吹出口１より
香気を拡散する。音響装置の操作スイッチ３により音楽がスピーカー１２より流れ
出す。図中の符号で、２は音響装置の表示画面を、５は音響装置の表示画面を、８
は制御基盤、９は音響装置基盤を示している。
【図面の簡単な説明】
【０００９】
【図１】マイクロカプセル化したアロマカードを示す説明図
【図２】本考案に係る香料拡散装置の操作パネル面を示す外観図
【図３】図２のaーa線矢視の内部説明図
【図４】人間の呼吸リズムを修正する為の１点滅を繰り返す間接照明時間説明図
【符号の説明】
【００１０】
（Ａ）    アロマカード
（Ｂ）    香料拡散装置
（Ｃ）    マイクロカプセル化香料微粒子
（１）香気吹出口
（２）音響装置の表示画面
（３）音響装置の操作スイッチ
（４）カード挿入口
（５）メッセージ板
（６）ファン
（７）ＬＥＤ
（８）制御基盤
（９）音響装置基盤
（１０）リミットスイッチ
（１１）ブラシ
（１２）スピーカー
【図１】
0003132322.tif 000003
【図２】
0003132322.tif 000004
【図３】
0003132322.tif 000005
【図４】
0003132322.tif 000006
(57)【要約】  【課題】  木製柄体の匙体嵌入部の強度を向上して永く使用できるスコップを提供する。  【解決手段】  木製柄体２の匙体嵌入部２ａに鋼製より成る先細りした筒状の補強キャップ５を嵌入して取り付ける。そして、前記鋼製補強キャップ付き木製柄体２の匙体嵌入部２ａを匙体３の差込管３ａに嵌入する。また、柄体２と匙体３の締結手段として木製柄体２の匙体嵌入部２ａに筒状のナット６を埋め込み、該ナット６の両側からにボルト７ａ、７ｂを螺入して匙体３を着脱自在に締結する。【選択図】  図３
0003132362.tif 000002
【実用新案登録請求の範囲】
【請求項１】
木製柄体の匙体嵌入部に鋼製補強キャップを嵌入して取り付け、該鋼製補強キャップ付き木製柄体の匙体嵌入部を匙体の差込管に嵌入して締結手段にて締結したことを特徴とするスコップ。
【請求項２】
前記締結手段は、木製柄体の匙体嵌入部に筒状のナットを埋め込み、該ナットにボルトを螺入して匙体を着脱自在に締結するようにしたことを特徴とする請求項１記載のスコップ。
【考案の詳細な説明】
【技術分野】
【０００１】
本考案は、土木作業や園芸作業等に使用するスコップに関する。
【背景技術】
【０００２】
土木作業等に使用されるスコップは、把持体、柄体、匙体から構成されている。柄体としては木製と鋼管製のものがあり、木製の柄体を使用する場合には、テーパー形状に先細りさせた匙体嵌入部を匙体の差込管に差し込んで螺子やリベット等で固着している。
【特許文献１】特開２０００−３３６６８７号公報
【考案の開示】
【考案が解決しようとする課題】
【０００３】
しかしながら、木製の柄体は鋼管製の柄体に比べて強度が低く、テーパー形状に先細りさせた匙体嵌入部で折れやすい欠点がある。
【０００４】
本考案は上記の点に鑑み、木製柄体の匙体嵌入部の強度を向上して永く使用できるスコップを提供することを課題とする。
【課題を解決するための手段】
【０００５】
上記課題を解決するために、本考案の請求項１に係るスコップでは、木製柄体の匙体嵌入部に鋼製補強キャップを嵌入して取り付け、該鋼製補強キャップ付き木製柄体の匙体嵌入部を匙体の差込管に嵌入して締結手段にて締結したことを特徴としている。
【０００６】
また、請求項２に係るスコップでは、前記締結手段として、木製柄体の匙体嵌入部に筒状のナットを埋め込み、該ナットにボルトを螺入して匙体を着脱自在に締結するようにしたことを特徴としている。
【考案の効果】
【０００７】
本考案の請求項１に係るスコップによれば、木製柄体の匙体嵌入部に鋼製補強キャップを嵌入して取り付け、該鋼製補強キャップ付き木製柄体の匙体嵌入部を匙体の差込管に嵌入して締結手段にて締結したので、木製柄体の匙体嵌入部の強度が向上して折れにくくなり、永く使用できる。
【０００８】
本考案の請求項２に係るスコップによれば、前記締結手段は、木製柄体の匙体嵌入部に筒状のナットを埋め込み、該ナットにボルトを螺入して匙体を着脱自在に締結するようにしたので、匙体が摩耗すれば新しい匙体と簡単に交換することができて木製柄体をそのまま有効使用できる。また、従来の螺子やリベットで固着するのと同様にボルトの頭部が露出するだけで取扱い時に邪魔になることはない。
【考案を実施するための最良の形態】
【０００９】
本考案のスコップにあっては、木製柄体の匙体嵌入部に鋼製より成る先細りした筒状の補強キャップを嵌入して取り付けて匙体嵌入部の強度を増して折れにくくする。この鋼製補強キャップ付き木製柄体の匙体嵌入部を匙体の差込管に嵌入して締結手段にて締結する。また、前記締結手段は、好ましくは木製柄体の匙体嵌入部に筒状のナットを埋め込み、該ナットにボルトを螺入して匙体を着脱自在に締結する。
【００１０】
このように、木製柄体の匙体嵌入部に鋼製補強キャップを取り付けることで、木製柄体の強度を向上させて折れにくくできる。また、木製柄体の匙体嵌入部に埋め込んだ筒状のナットにボルトを螺入して匙体を着脱自在に締結することで、摩耗した匙部を新しい匙部と簡単に交換でき、強度を向上させた木製柄体を有効使用できる。
【実施例】
【００１１】
以下、本考案の一実施例を図面に基づいて説明する。
【００１２】
スコップ１は、木製の柄体２の一端側に匙体３を、他端側に把持体４を固着して構成されている。前記木製柄体２の先細りした匙体嵌入部２ａは、鋼製より成る先細りした筒状の補強キャップ５を嵌入して補強しており、該鋼製補強キャップ部を匙体３の差込管３ａに嵌入することで木製柄体２と匙体３の連結部の補強を図っている。
【００１３】
６は木製柄体２と匙体３の締結のために木製柄体２の内部に埋め込んだ六角筒状のナットであり、該ナット６は両端側からボルトを螺入可能なように雌螺子を刻設している。そして、締結用のボルト７ａ、７ｂを匙体３の差込管３ａに穿設した透孔及び鋼製補強キャップ５に穿設した透孔を通過させてナット６に螺入して木製柄体２と匙体３を着脱自在に締結している。また、差込管３ａの先端部にもボルト７Ｃを同様に挿入して木製柄体２に埋め込んだナット８に螺入して匙体３を着脱自在に固着している。
【００１４】
なお、匙体３が摩耗して使えなくなると、図４のように、着脱自在のボルト７ａ、７ｂ、７Ｃを取り外し、新しい匙体と交換する。
【００１５】
このように、上記木製柄体２には鋼製補強キャップ５を取り付けることで、木製柄体２の強度を向上させて折れにくくすることができる。また、木製柄体２に筒状のナット６、８を埋め込んでボルトの螺入によって匙体３を着脱自在に締結したので、従来の螺子やリベットで固着するのと同様にボルトの頭部が露出するだけで取扱い時に邪魔になることはないと共に、匙体３を容易に交換できて木製柄体２の有効使用が図れる。
【図面の簡単な説明】
【００１６】
【図１】本考案に係るスコップの一実施例を示す一部切り欠き正面図である。
【図２】図１の要部の一部切り欠き拡大図である。
【図３】図２の一部切り欠き平面図である。
【図４】匙体を取り外した状態を示す図である。
【符号の説明】
【００１７】
１…スコップ                ２…柄体
２ａ…匙体嵌入部            ３…匙体
３ａ…差込管                ４…把持体
５…鋼製補強キャップ        ６、８…ナット
７ａ、７ｂ、７Ｃ…ボルト
【図１】
0003132362.tif 000003
【図２】
0003132362.tif 000004
【図３】
0003132362.tif 000005
【図４】
0003132362.tif 000006
(57)【要約】      （修正有）【課題】バインディング・ポストといわれている、一般的な接続接続ターミナルで、接続時に電線を傷つけず、また、電線損傷防止用の平ワッシャを使用した時、平ワッシャが落下せず電線の取り付けがし易い構造を持つ接続ターミナルを提供する。【解決手段】別々の部品であるノブと平ワッシャを結合し、一体化することで脱落を防止し、容易に電線３を取り付けられる改良ノブ７と滑りワッシャ６。また、改良ノブの締め付け時に、改良ノブは滑りワッシャと独立して回転することで、滑りワッシャの接触による電線の損傷を防ぐ構造。【選択図】図３
0003132363.tif 000002
【実用新案登録請求の範囲】
【請求項１】
本考案は内側に雌ネジを切ったノブを回転して、電線を圧接する構造を持った接続ターミナルにおいて、ノブと平ワッシャを一体化し、ノブと平ワッシャが脱落しないようにノブの内側に環状溝を設け、平ワッシャの内側に突起を設け、この突起がノブの環状溝に引っかかり、それぞれが独立して動く構造を特徴とする接続ターミナル。
【考案の詳細な説明】
【技術分野】
【０００１】
本考案はバインディング・ポストといわれている接続ターミナルの構造に関する考案。
【背景技術】
【０００２】
図１はノブの回転により電線を締め付ける一般的な接続ターミナルで、内側にネジの溝を持ったノブ１と雄ネジを設けた台座２と接続ターミナルの取付け板４で構成され、電線３はノブ１と雄ネジを設けた台座２の間に挿入される。この構造の接続ターミナルは、ノブ１で強力に電線３を締め付けると、ノブ１の回転による接触で電線３を傷つけ、ときには切断することもあった。
【０００３】
図２は電線３がノブ１によって直接圧迫されないよう、滑り用の平ワッシャ５を挿入した接続ターミナルに電線３を取付けるときの様子を示した図である。この平ワッシャ５の滑りにより、締め付け時にノブ１の回転による電線３の損傷を防ぐことは出来るが、垂直に取付ける場合、ノブ１と平ワッシャ５はそれぞれ独立しているため、平ワッシャ５が動いたり落下したりして電線３を挿入するのが困難であった。
【非特許文献１】サトーパーツ株式会社  ターミナルカタログ
【考案の開示】
【考案が解決しようとする課題】
【０００４】
本考案は締め付け時に電線３の損傷を防ぎ、垂直に取付ける場合に平ワッシャ５が落下しないような構造にすることである。
【課題を解決するための手段】
【０００５】
本考案は、ノブ１と平ワッシャ５が一体化した構造により、平ワッシャ５の落下を防止し、それぞれが独立して動く構造にすることである。
【考案の効果】
【０００６】
本考案は、ノブ１と平ワッシャ５が、それぞれが独立して動き一体となった構造により、電線３の損傷を防ぎ、垂直に取付ける場合でも電線３を容易に挿入することが出来る。
【考案を実施するための最良の形態】
【０００７】
本考案は、ノブ１の内周に環状溝１０を設けた改良ノブ７に滑りワッシャ６を挿入し、傘状の突起８が改良ノブ７の環状溝１０に引っかかることで滑りワッシャ６は改良ノブ７と結合するため、平ワッシャ５の脱落を防止する。また、改良ノブ７で締め付け時、滑りワッシャ６により電線３の損傷を防ぐ。
【実施例１】
【０００８】
図３は本考案の接続ターミナルに電線を接続する様子を示す図であり、改良ノブ７は滑りワッシャ６を脱落しない構造になっている。図４は滑りワッシャ６の断面を示している。滑りワッシャ６は上部円周に傘状の突起８と割り溝９をもっている。図５は改良ノブ７の断面を示している。ノブ７は内部上部に雌ネジ１１を持ち、その下部内周には環状の溝１０をもっている。
【０００９】
図６は滑りワッシャ６と改良ノブ７を結合した様子を示す断面図である。改良ノブ７と滑りワッシャ６はフリー構造になる寸法に保たれ、滑りワッシャ６は改良ノブ７に挿入する際、割り溝９によりたわみ、挿入された後は傘状の突起８のため改良ノブ７の環状の溝１０に引っ掛かり脱落しない。したがって、改良ノブ７の回転によって、滑りワッシャ６はノブと共に上下するが、電線３を締め付けるとき滑りワッシャ６が電線３に接触し、改良ノブ７は独立して締め付けることが出来るので、電線３を損傷することがない。
【産業上の利用可能性】
【００１０】
電線の損傷によるシステム全体の不具合をなくし、電線の接続作業の時間を短縮することが出来る。
【図面の簡単な説明】
【００１１】
【図１】一般的な接続ターミナル
【図２】平ワッシャを挿入した接続ターミナル
【図３】本考案の接続ターミナル
【図４】滑りワッシャの断面図
【図５】ノブの断面図
【図６】滑りワッシャとノブを結合した断面図
【符号の説明】
【００１２】
１    ノブ
２    台座
３    電線
４    取り付け板
５    平ワッシャ  
６    滑りワッシャ
７    改良ノブ
８    傘状の突起
９    割溝
１０  環状の溝
１１  雌ネジ
【図１】
0003132363.tif 000003
【図２】
0003132363.tif 000004
【図３】
0003132363.tif 000005
【図４】
0003132363.tif 000006
【図５】
0003132363.tif 000007
【図６】
0003132363.tif 000008